(57)【要約】【課題】制御基板の不正な交換や改造を有効に防止する。【解決手段】遊技機は、制御基板３３を収納する基板ケース３０と、本体（筐体）に固定される取付部材５０と、基板ケース３０に設置されて筒状部４２を有する受入部材４０と、基部８１から突起部８２が突出する係止部材８０とを備える。係止部材８０は、取付部材５０の所定面を挟んで受入部材４０と対向する位置に配置されたうえで、筒状部４２に突出部８２が挿入されない第１位置から筒状部４２に突出部８２が挿入される第２位置まで移動させられる。係止部材８０が第２位置に保持されることで受入部材４０（基板ケース３０）が取付部材５０に装着される。【選択図】図３
2007105347.tif 000002
【特許請求の範囲】
【請求項１】
機器が収納される本体と、
前記機器を制御する制御基板が収納される基板ケースと、
前記基板ケースを前記本体に固定するために前記本体内に固定された取付部材とを具備し、
前記基板ケースは、内周面に凸型または凹型の係合部を備えた挿入孔を有する受入部材を備え、
前記受入部材の挿入孔に挿入される突出部を有する係止部材が、前記取付部材の所定面を挟んで前記受入部材と対向する位置に配置され、
前記突出部には、前記受入部材の前記係合部に嵌り合う被係合部が設けられ、
前記突出部が前記受入部材の挿入孔に挿入されない第１位置から前記挿入孔に挿入される第２位置まで前記係止部材が前記受入部材側に移動されると、前記係合部と前記被係合部とが相互に嵌り合うことで前記受入部材が前記係止部材によって前記取付部材に取り付けられて前記基板ケースが前記本体に固定される
ことを特徴とする遊技機。
【請求項２】
前記受入部材は、凸型の前記係合部を有し、
前記係止部材は、外周面に凹型の前記被係合部を有する
ことを特徴とする請求項１に記載の遊技機。
【請求項３】
前記取付部材は、前記第２位置に移動した前記係止部材と嵌り合う支持部を含む
ことを特徴とする請求項１または請求項２に記載の遊技機。
【請求項４】
機器が収納される本体と、
前記機器を制御する制御基板が収納される基板ケースと、
前記基板ケースを前記本体に固定するために前記本体内に固定された取付部材とを具備し、
前記基板ケースは、挿入孔を有する受入部材を備え、
前記受入部材の挿入孔に挿入される突出部を有する係止部材が、前記取付部材の所定面を挟んで前記受入部材と対向する位置に配置され、
前記取付部材は、前記係止部材が嵌り合う支持部を含み、
前記突出部が前記受入部材の挿入孔に挿入されない第１位置から前記挿入孔に挿入される第２位置まで前記係止部材が前記受入部材側に移動されると、前記支持部と前記係止部材とが相互に嵌り合うことで前記受入部材が前記係止部材によって前記取付部材に取り付けられて前記基板ケースが前記本体に固定される
ことを特徴とする遊技機。
【請求項５】
前記支持部は、前記係止部材側に突出する支持用突起部と、前記支持用突起部の側面に形成された第１爪部および第２爪部とを含み、
前記第１爪部は、前記係止部材が前記第１位置にあるときに当該係止部材と嵌り合い、
前記第２爪部は、前記係止部材が前記第２位置にあるときに当該係止部材と嵌り合う
ことを特徴とする請求項３または請求項４に記載の遊技機。
【請求項６】
前記第２爪部は、前記支持用突起部の側面に対向する部分を含む
ことを特徴とする請求項５に記載の遊技機。
【請求項７】
前記受入部材は、筒口が前記挿入孔とされた筒状部を含み、
前記突出部の外周面は、前記係止部材が前記第２位置にあるときに前記筒状部の内周面に対向し、
前記係止部材は、当該係止部材が前記第２位置にあるときに前記筒状部の外周面に対向するガード部を含む
ことを特徴とする請求項１から請求項６の何れかに記載の遊技機。
【請求項８】
前記突出部の先端部分は、前記係止部材の移動の方向に対して傾斜する面を含む
ことを特徴とする請求項１から請求項７の何れかに記載の遊技機。
【請求項９】
前記受入部材のうち前記挿入孔の内側には、前記突出部の突出の方向からみて当該突出部と重なり合う接触防止部が形成されている
ことを特徴とする請求項１から請求項８の何れかに記載の遊技機。
【請求項１０】
前記係止部材は、内周面に雌ネジが形成された筒状の雌ネジ部を含み、前記雌ネジに噛み合うネジの回転に伴なって前記第１位置から前記第２位置に移動する
ことを特徴とする請求項１から請求項９の何れかに記載の遊技機。
【請求項１１】
前記雌ネジ部には、前記係止部材の移動の方向に沿って溝部が形成されている
ことを特徴とする請求項１０に記載の遊技機。
【請求項１２】
前記係止部材は、前記第１位置にあるときに、前記取付部材のうち前記受入部材との対向面から突出しない
ことを特徴とする請求項１から請求項１１の何れかに記載の遊技機。
【請求項１３】
前記係止部材が移動する方向と略垂直な方向に沿って、前記取付部材に対する所定の位置まで前記基板ケースを案内する案内部材
を具備することを特徴とする請求項１２に記載の遊技機。
【請求項１４】
前記基板ケースは、前記受入部材を支持する連結部を有し、
前記取付部材によって前記本体に固定された前記基板ケースは、前記連結部の破壊によって前記取付部材から分離される
ことを特徴とする請求項１から請求項１３の何れかに記載の遊技機。
【発明の詳細な説明】
【技術分野】
【０００１】
本発明は、各種の電子部品が実装された基板（以下「制御基板」という）をスロットマシンやパチンコ機といった遊技機に固定する技術に関する。
【背景技術】
【０００２】
この種の遊技機においては、ＲＯＭ（Read Only Memory）などの電子部品が実装された制御基板の不正な交換や改造を防止する必要がある。このような不正を防止する技術として、例えば特許文献１には、遊技機の筐体に設置された取付台に対し、制御基板を収納したケースを固定する構成が開示されている。この構成においては、キーの回転に連動する棒状の部材を備えたキーボックスが取付台に設置される。棒状の部材は、施錠の状態においては基板ケースの取り外しを阻害する位置に移動し、開錠の状態においては基板ケースの取り外しが可能となる位置に移動する。
【特許文献１】特開平１１−１６９５３６号公報（図３）
【発明の開示】
【発明が解決しようとする課題】
【０００３】
しかしながら、この構成においては、何らかの方法でキーを入手しさえすれば、何らの痕跡も残すことなく基板ケースを取付台から取り外すことが可能であるから、不正を防止するための方策としては実効性に欠けるという問題がある。本発明は、このような事情に鑑みてなされたものであり、制御基板の不正な交換や改造を有効に防止するという課題の解決を目的としている。
【課題を解決するための手段】
【０００４】
本発明の構成を以下に説明する。なお、本発明の理解を容易にするために図面の参照符号を括弧書にて各要素に付記するが、これによって本発明が図示の形態に限定されるものではない。
【０００５】
本発明に係る遊技機（Ｓ）は、機器が収納される本体（Ｂ）と、前記機器を制御する制御基板（３３）が収納される基板ケース（３０）と、前記基板ケース（３０）を前記本体（Ｂ）に固定するために前記本体（Ｂ）内に固定された取付部材（５０）とを具備し、前記基板ケース（３０）は、内周面に凸型または凹型の係合部（４２３）を備えた挿入孔（４２０）を有する受入部材（４０）を備え、前記受入部材（４０）の挿入孔（４２０）に挿入される突出部（８２）を有する係止部材（８０）が、前記取付部材（５０）の所定面を挟んで前記受入部材（４０）と対向する位置に配置され、前記突出部（８２）には、前記受入部材（４０）の前記係合部（４２３）に嵌り合う被係合部（８２１）が設けられ、前記突出部（８２）が前記受入部材（４０）の挿入孔（４２０）に挿入されない第１位置から前記挿入孔（４２０）に挿入される第２位置まで前記係止部材（８０）が前記受入部材（４０）側に移動されると、前記係合部（４２３）と前記被係合部（８２１）とが相互に嵌り合うことで前記受入部材（４０）が前記係止部材（８０）によって前記取付部材（５０）に取り付けられて前記基板ケース（３０）が前記本体（Ｂ）に固定されることを特徴とする。なお、本発明における本体（Ｂ）とは、例えばスロットマシンの筐体（１０）または前面扉（２０）やパチンコ機の遊技盤である。
【０００６】
この構成においては、取付部材（５０）を挟んで受入部材（４０）とは反対側に配置された係止部材（８０）が第１位置から第２位置に移動することで基板ケース（３０）が取付部材（５０）（さらには本体（Ｂ））に装着される。したがって、基板ケース（３０）側からの接触によって係止部材（８０）を第１位置に移動させて基板ケース（３０）の固定を解除することは困難である。また、受入部材（４０）と基板ケース（３０）との連結の破壊によって基板ケース（３０）を取付部材（５０）から取り外すといった不正が実施された場合には破壊の痕跡が残るから、不正の事実を容易に発見することができる。加えて、本発明においては、係止部材（８０）が第２位置に移動した状態で突出部（８２）が受入部材（４０）の挿入孔（４２０）に挿入されるから、取付部材（５０）に対する基板ケース（３０）の装着の強度（特に係止部材（８０）の移動の方向と略垂直な方向の外力に対する強度）を充分に確保することができる。
【０００７】
また、本発明においては、受入部材（４０）の挿入孔（４２０）の内周面に係合部（４２３）が形成されるとともに係止部材（８０）の突出部（８２）の外周面に被係合部（８２１）が形成される。この構成によれば、突出部（８２）を挿入孔（４２０）に挿入することによって係合部（４２３）と被係合部（８２１）とが嵌り合う（相互に引っ掛かる）から、受入部材（４０）や係止部材（８０）とは別個の用語によって受入部材（４０）と係止部材（８０）との相対的な位置を保持する構成と比較して、部品の総点数の削減や組立て作業の容易化によって製造のコストが低減される。なお、本発明の具体的な態様において、前記受入部材（４０）は、凸型の前記係合部（４２３）を有し、前記係止部材（８０）は、外周面に凹型の前記被係合部（８２１）を有する。もっとも、これとは逆に、受入部材（４０）が凹型の係合部（４２３）を有し、係止部材（８０）が外周面に凸型の被係合部（８２１）を有する態様も採用される。
【０００８】
前記取付部材（５０）は、前記第２位置に移動した前記係止部材（８０）と嵌り合う支持部（６３，６４）を含む。この態様によれば、係止部材（８０）が係合部（４２３）および支持部（６３，６４）の双方によって第２位置に確実に保持されるから、係止部材（８０）を第１位置に移動させて基板ケース（３０）を取り外そうとする不正を有効に防止することができる。
【０００９】
なお、取付部材（５０）の支持部（６３，６４）やその他の部材によって係止部材（８０）が第２位置に保持される態様においては、受入部材（４０）の係合部（４２３）や係止部材（８０）の被係合部（８２１）が適宜に省略される。この態様に係る遊技機（Ｓ）は、機器が収納される本体（Ｂ）と、前記機器を制御する制御基板（３３）が収納される基板ケース（３０）と、前記基板ケース（３０）を前記本体（Ｂ）に固定するために前記本体（Ｂ）内に固定された取付部材（５０）とを具備し、前記基板ケース（３０）は、挿入孔（４２０）を有する受入部材（４０）を備え、前記受入部材（４０）の挿入孔（４２０）に挿入される突出部（８２）を有する係止部材（８０）が、前記取付部材（５０）の所定面を挟んで前記受入部材（４０）と対向する位置に配置され、前記取付部材（５０）は、前記係止部材（８０）が嵌り合う支持部（６３，６４）を含み、前記突出部（８２）が前記受入部材（４０）の挿入孔（４２０）に挿入されない第１位置から前記挿入孔（４２０）に挿入される第２位置まで前記係止部材（８０）が前記受入部材（４０）側に移動されると、前記支持部（６３，６４）と前記係止部材（８０）とが相互に嵌り合うことで前記受入部材（４０）が前記係止部材（８０）によって前記取付部材（５０）に取り付けられて前記基板ケース（３０）が前記本体（Ｂ）に固定されることを特徴とする。この態様によっても、係合部（４２３）や被係合部（８２１）を利用した態様と同様の作用および効果が奏される。
【００１０】
取付部材（５０）が支持部（６４）を含む遊技機（Ｓ）の好適な態様において、前記支持部（６４）は、前記係止部材（８０）側に突出する支持用突起部（６３０）と、前記支持用突起部（６３０）の側面に形成された第１爪部（６３１）および第２爪部（６３２）とを含み、前記第１爪部（６３１）は、前記係止部材（８０）が前記第１位置にあるときに当該係止部材（８０）と嵌り合い、前記第２爪部（６３２）は、前記係止部材（８０）が前記第２位置にあるときに当該係止部材（８０）と嵌り合う。この態様においては、第１爪部（６３１）を係止部材（８０）に係合させることで係止部材（８０）を取付部材（５０）に仮止めすることができるから、例えば裏蓋などの別個の部材によって係止部材（８０）を押さえなくても係止部材（８０）が抜け落ちることはない。したがって、取付部材（５０）を本体（Ｂ）に対して簡素に取り付けることができる。この態様においては、前記第２爪部（６３２）が、前記支持用突起部（６３０）の側面に対向する部分（Ａ）を含む構成も採用される。この構成によれば、第２爪部（６３２）と支持用突起部（６３０）との間隙に係止部材（８０）の部分（例えば周縁部８４５）が挟まれるから、取付部材（５０）に対して係止部材（８０）を強固に保持することが可能となる（図１８の部分(b)参照）。
【００１１】
本発明の具体的な態様において、前記受入部材（４０）は、筒口が前記挿入孔（４２０）とされた筒状部（４２）を含み、前記突出部（８２）の外周面は、前記係止部材（８０）が前記第２位置にあるときに前記筒状部（４２）の内周面に対向し、前記係止部材（８０）は、当該係止部材（８０）が前記第２位置にあるときに前記筒状部（４２）の外周面に対向するガード部（８３）を含む。この態様によれば、係止部材（８０）が第２位置にあるときにガード部（８３）が筒状部（４２）の外周面に対向するから、筒状部（４２）への不正な接触やこれによる筒状部（４２）の変形を防止することができる。
【００１２】
前記突出部（８２）の先端部分は、前記係止部材（８０）の移動の方向に対して傾斜する面（８２２）を含む。この態様によれば、突出部（８２）の先端面を押圧する外力が傾斜面（８２２）によって分散されるから、突出部（８２）の先端面の押圧によって係止部材（８０）を第１位置に押し戻すといった不正を防止することができる（例えば図２１参照）。なお、突出部（８２）の先端部分は全部が傾斜面（８２２）とされていてもよいし部分的に傾斜面（８２２）とされていてもよい。さらに別の態様において、前記受入部材（４０）のうち前記挿入孔（４２０）の内側には、前記突出部（８２）の突出の方向からみて当該突出部（８２）と重なり合う接触防止部（４２５）が形成されている。この態様によれば、突出部（８２）の先端面に対する接触が接触防止部（４２５）によって阻害されるから、突出部（８２）の先端面の押圧によって係止部材（８０）を第１位置に押し戻す不正を有効に防止することができる。
【００１３】
係止部材（８０）を第１位置から第２位置に移動するための構成は任意であるが、例えばネジの回転によって係止部材（８０）を移動させる構成が採用される。この構成において、前記係止部材（８０）は、内周面に雌ネジが形成された筒状の雌ネジ部（８５）を含み、前記雌ネジに噛み合うネジ（Ｎ）の回転に伴なって前記第１位置から前記第２位置に移動する。この構成の好適な態様において、前記雌ネジ部（８５）には、前記係止部材（８０）の移動の方向に沿って溝部（８５１）が形成される。この態様によれば、雌ネジ部（８５）が溝部（８５１）の形成によって径方向に弾性変形しやすい形態となっているから、例えば雌ネジ部（８５）に噛み合っているネジ（Ｎ）に外力が作用すると雌ネジ部（８５）は弾性変形してネジ（Ｎ）から外れる。したがって、雌ネジ部（８５）に噛み合うネジ（Ｎ）を途中まで外したうえで当該ネジ（Ｎ）に外力を作用させることで係止部材（８０）を第１位置に押し戻そうとする不正を有効に防止することができる（例えば図２０参照）。
【００１４】
さらに別の態様において、前記係止部材（８０）は、前記第１位置にあるときに、前記取付部材（５０）のうち前記受入部材（４０）との対向面（ＰＬ）から突出しない（例えば図１５参照）。この態様によれば、係止部材（８０）が取付部材（５０）に取り付けられた状態において、係止部材（８０）の各突出部（８２）の軸方向とは略垂直な方向に基板ケース（３０）を移動（スライド）させたうえで取付部材（５０）に対する目標の位置に配置することが可能となる。この態様においては、前記係止部材（８０）が移動する方向と略垂直な方向に沿って、前記取付部材（５０）に対する所定の位置まで前記基板ケース（３０）を案内する（換言すると、基板ケース（３０）の所定の方向への移動を拘束する）案内部材（７０）が好適に採用される。
【００１５】
本発明の具体的な態様において、前記基板ケース（３０）は、前記受入部材（４０）を支持する連結部（３５２）を有し、前記取付部材（５０）によって前記本体（Ｂ）に固定された前記基板ケース（３０）は、前記連結部（３５２）の破壊によって前記取付部材（５０）から分離される。この態様によれば、基板ケース（３０）が取付部材（５０）から不正に取り外された場合に、連結部（３５２）が破壊された痕跡によって当該不正を迅速かつ確実に発見することができる。
【００１６】
本発明は、以上に説明した各態様に係る遊技機（Ｓ）に採用される制御基板ユニット（Ｕ）としても採用される。この制御基板ユニット（Ｕ）は、機器を制御する制御基板（３３）が収納される基板ケース（３０）と、前記機器が収納される本体（Ｂ）に前記基板ケース（３０）を固定するために前記本体（Ｂ）内に固定された取付部材（５０）とを具備し、前記基板ケース（３０）は、内周面に凸型または凹型の係合部（４２３）を備えた挿入孔（４２０）を有する受入部材（４０）を備え、前記受入部材（４０）の挿入孔（４２０）に挿入される突出部（８２）を有する係止部材（８０）が、前記取付部材（５０）の所定面を挟んで前記受入部材（４０）と対向する位置に配置され、前記突出部（８２）には、前記受入部材（４０）の前記係合部（４２３）に嵌り合う被係合部（８２１）が設けられ、前記突出部（８２）が前記受入部材（４０）の挿入孔（４２０）に挿入されない第１位置から前記挿入孔（４２０）に挿入される第２位置まで前記係止部材（８０）が前記受入部材（４０）側に移動されると、前記係合部（４２３）と前記被係合部（８２１）とが相互に嵌り合うことで前記受入部材（４０）が前記係止部材（８０）によって前記取付部材（５０）に取り付けられて前記基板ケース（３０）が前記本体（Ｂ）に固定されることを特徴とする。
【００１７】
また、他の態様に係る制御基板ユニット（Ｕ）は、機器を制御する制御基板（３３）が収納される基板ケース（３０）と、前記機器が収納される本体（Ｂ）に前記基板ケース（３０）を固定するために前記本体（Ｂ）内に固定された取付部材（５０）とを具備し、前記基板ケース（３０）は、挿入孔（４２０）を有する受入部材（４０）を備え、前記受入部材（４０）の挿入孔（４２０）に挿入される突出部（８２）を有する係止部材（８０）が、前記取付部材（５０）の所定面を挟んで前記受入部材（４０）と対向する位置に配置され、前記取付部材（５０）は、前記係止部材（８０）が嵌り合う支持部を含み、前記突出部（８２）が前記受入部材（４０）の挿入孔（４２０）に挿入されない第１位置から前記挿入孔（４２０）に挿入される第２位置まで前記係止部材（８０）が前記受入部材（４０）側に移動されると、前記支持部と前記係止部材（８０）とが相互に嵌り合うことで前記受入部材（４０）が前記係止部材（８０）によって前記取付部材（５０）に取り付けられて前記基板ケース（３０）が前記本体（Ｂ）に固定されることを特徴とする。以上の各態様に係る制御基板ユニット（Ｕ）によっても、本発明の遊技機（Ｓ）と同様の作用および効果が奏される。
【発明を実施するための最良の形態】
【００１８】
＜Ａ−１：スロットマシンＳの全体の構成＞
図１は、本発明の実施の形態に係るスロットマシンＳの外観を示す斜視図である。同図に示すように、スロットマシンＳは、各種の機器が収納される本体Ｂを有する。本体Ｂは、前面が開口した箱状の筐体１０と筐体１０の前面に配置された前面扉２０とから構成される。前面扉２０は片側が蝶番によって筐体１０に固定されて開閉される。なお、以下では筐体１０からみて前面扉２０側を「前面側」と表記し、前面扉２０からみて筐体１０側を「背面側」と表記する。また、前面扉２０に向かって右側を「右方」と表記し、その反対側を「左方」と表記する。
【００１９】
前面扉２０には、操作部ＯＰとパネル表示部ＤＰと演出表示部ＴＰと受皿部ＢＰとが配置される。操作部ＯＰには、遊技者によって操作される各種の操作子が配置される。パネル表示部ＤＰには、リールの図柄を遊技者に視認させるための略長方形状のリール窓２１１や遊技の進行に関する情報が表示される表示器２１２が配置される。演出表示部ＴＰは遊技の演出のための表示を実行する機器である。受皿部ＢＰは、メダル払出口２２１から排出されたメダルを貯めるメダル受皿２２２を含む。
【００２０】
図２は、スロットマシンＳの前面扉２０を開いた状態を示す斜視図である。同図に示されるように、本体Ｂの内部（筐体１０の内側）には、横方向に配列する３個のリールＲを含む各種の機器が収納される。各リールＲは回転可能に軸支された環状の部材であり、各々の外周面にはその円周方向に沿って複数の図柄が印刷されている。遊技者は各リール窓２１１を介して各リールＲの図柄を視認することができる。図１の操作部ＯＰは、ベットボタン２３１とスタートレバー２３２と３個のストップボタン２３３とを含む。スロットマシンＳの遊技は、メダル投入口２４に対するメダルの投入またはベットボタン２３１の操作によって開始される。３個のリールＲは、スタートレバー２３２の操作を契機として回転し始め、各々に対応したストップボタン２３３への操作を契機として停止する。
【００２１】
図２のうち筐体１０を部分的に破断した箇所に図示されるように、筐体１０の背面側の板材（以下「背面板」という）１１には制御基板ユニットＵが設置される。この制御基板ユニットＵはメイン基板を保持する機構である。メイン基板は、プログラムの実行によってスロットマシンＳの各部を制御する制御装置（例えばＣＰＵ）や、制御装置によって実行されるプログラムおよびその実行に際して使用されるデータが記憶された記憶装置（例えばＲＯＭ）など様々な電子部品が実装された回路基板である。
【００２２】
＜Ａ−２：制御基板ユニットＵの概略的な構成＞
図３は、制御基板ユニットＵを分解した様子を示す斜視図である。図２および図３に示すように、制御基板ユニットＵは、基板ケース３０と取付部材５０と案内部材７０と４個の係止部材８０とを含む。基板ケース３０はメイン基板３３を支持するための部材である。本実施形態の基板ケース３０は、上カバー３１１と下カバー３１２との間隙の空間にメイン基板３３が収納される構造となっている。上カバー３１１と下カバー３１２とは固着部（図示略）によって固定され、この固着部を破壊しない限り各々を分離できない。このように、上カバー３１１と下カバー３１２とが分離された場合には破壊の痕跡が残るから、メイン基板３３に対する不正な接触の有無を目視で明瞭に確認することができる。図３に示すように、基板ケース３０のうち右側の側端面には４個の受入部材４０が連結される。各受入部材４０は基板ケース３０を取付部材５０に装着するための部材である。
【００２３】
図３の取付部材５０および案内部材７０は基板ケース３０を本体Ｂ（筐体１０）に固定するための部材であり、筐体１０の背面板１１にネジによって固定される。案内部材７０は、背面板１１から前面側に突出する２個のガイド体７１および７２を含む。これらのガイド体７１および７２は、基板ケース３０の高さに相当する間隔をあけて上下方向に配置される。基板ケース３０は、取付部材５０に装着されていない状態において、ガイド体７１および７２に上下を挟まれた姿勢のまま横方向にスライドされ得る。また、ガイド体７１および７２の各々のうち基板ケース３０に対向する位置には係合孔Ｈが形成されている。
【００２４】
図３に示すように、基板ケース３０の上面と下面との各々にはその長手方向に沿って２個ずつの突起Ｐが形成されている（図１０から図１２参照）。基板ケース３０が各ガイド体７１および７２に沿って右方にスライドされて所定の位置（以下「目標位置」という）に到達すると、この基板ケース３０の上面および下面の左方に位置する各突起Ｐがガイド体７１および７２の係合孔Ｈに係合する。なお、基板ケース３０の各突起Ｐが案内部材７０の係合孔Ｈに係合した状態では、基板ケース３０のスライド方向以外の方向（例えば前方側）への移動が拘束される。
【００２５】
基板ケース３０が目標位置に到達すると各受入部材４０は取付部材５０と重なり合う。基板ケース３０は、この目標位置にてひとつの受入部材４０が取付部材５０に固定されることで筐体１０に固定される。各係止部材８０は、ひとつの受入部材４０を取付部材５０に固定するための部品である。ひとつの受入部材４０が係止部材８０によって取付部材５０に固定されると、受入部材４０と基板ケース３０との連結を破壊しない限り基板ケース３０を取付部材５０から分離できない状態となる。このように、基板ケース３０を取り外すとその痕跡が残るから、メイン基板３３に対する不正な接触の有無を目視で明瞭に確認することができる。なお、本実施形態においては、受入部材４０と係止部材８０とからなる複数（ここでは４個）の対が配置される。この構成によれば、基板ケース３０と取付部材５０との固着と分離とが４回にわたって繰り返されるから、基板の検査など正当な理由で基板ケース３０を分離する要求にも容易に対応することができる。
【００２６】
＜Ａ−３：係止部材８０の具体的な構成＞
次に、図４から図６を参照して係止部材８０の具体的な形態を説明する。なお、これらの図面においてはひとつの係止部材８０のみが図示されているが、総ての係止部材８０は同様の形態である。図４から図６に示すように、係止部材８０は平面的な形状が略長円である板状の基部８１を含む。この基部８１の中央部には貫通孔８１１が形成される。基部８１の長手方向（以下では図４から図６に示すように「ｘ方向」と表記する）に沿って貫通孔８１１を挟む各位置には当該基部８１の表面からこれに略垂直な方向（以下では図４から図６に示すように「ｙ方向」と表記する）に突出する突出部８２が設置される。各突出部８２は、横断面が略円形とされた長尺状の部分である。突出部８２の側面には当該側面の他の部分よりも窪んだ凹部８２１が形成される。また、図４および図５に示すように、突出部８２の先端は部分的に傾斜面８２２となっている。この傾斜面８２２は、ｙ方向に対して傾斜した平面状の部分である。
【００２７】
係止部材８０は、各突出部８２の側面に間隔をあけて対向するガード部８３を含む。このガード部８３は、ｙ方向からみて基部８１の外周縁と略重なり合うように円弧状に湾曲した部分である。また、基部８１の短手方向（以下では図４から図６に示すように「ｚ方向」と表記する）に沿って当該基部８１を挟む各位置には係合部８４が設置される。ひとつの係合部８４は、図４から図６に示すように、基部８１の周縁に間隔をあけて対向する対向部８４１を含む略Ｕ字状（略コ字状）の部分である。各係合部８４の対向部８４１には当該対向部８４１を厚さ方向に貫通するスリット８４３が形成されている。また、図４および図６に示すように、対向部８４１のうち突出部８２とは反対側の周縁部８４５は他の部分よりも肉厚が薄く成形されている。
【００２８】
図６に示すように、基部８１のうち各突出部８２とは反対側の表面には、基部８１の貫通孔８１１に連通する円筒状の雌ネジ部８５が形成される。雌ネジ部８５の内周面にはネジ溝（雌ネジ）が形成されている。図６に示すように、この雌ネジ部８５のうち周方向に所定の間隔をあけた３箇所にはｙ方向（突出部８２の軸方向）に沿う溝部８５１が形成されている。各溝部８５１は、雌ネジ部８５の壁部をその厚さ方向に貫通する部分である。このような溝部８５１が形成された雌ネジ部８５は、溝部８５１が形成されない構成（完全な円筒状とされた構成）と比較して径方向に弾性変形し易い。
【００２９】
また、図４から図６に示すように、基部８１のうち各突出部８２とは反対側の表面には、ｘ方向に沿って雌ネジ部８５を挟む各位置に側面部８６が形成される。各側面部８６は、基部８１のうち円弧状の各周縁に沿って当該基部８１から突出する部分である。なお、以上に説明した係止部材８０の各要素（基部８１、突出部８２、ガード部８３、係合部８４、雌ネジ部８５、側面部８６）は射出成形など様々な加工技術によって一体に形成される。係止部材８０の材料としてはプラスチックなどが採用され、耐衝撃性があって接着し難い樹脂材料（例えばポリアセタールやポリアミド）が特に好適である。
【００３０】
＜Ａ−４：取付部材５０の具体的な構成＞
次に、図７から図９を参照して取付部材５０の具体的な形状を説明する。図７は取付部材５０を基板ケース３０側（前面側）からみた平面図であり、図８は取付部材５０を基板ケース３０とは反対側（背面側）からみた平面図である。図７および図８に示すように、取付部材５０は、筐体固定部５１とサブユニット固定部５３とケース装着部６０とを含む。
【００３１】
筐体固定部５１には２個の貫通孔５１１が形成される。これらの貫通孔５１１を通るネジが筐体１０に嵌め込まれることによって取付部材５０が筐体１０に固定される。また、筐体固定部５１は、基板ケース３０を上下方向に挟む２個のガイド体５１３および５１５を含む。ガイド体５１３および５１５の各々のうち基板ケース３０の側面と対向すべき位置には係合孔Ｈが形成されている。基板ケース３０が目標位置に到達すると、この基板ケース３０の上面および下面の右方に位置する各突起Ｐがガイド体５１３および５１５の係合孔Ｈに係合する。
【００３２】
図３および図７に示すように、サブユニット固定部５３にはサブユニット５５が固定される。図７に示すように、サブユニット５５は、サブ基板５６とケース５７とシリンダ錠５８とを含む。サブ基板５６には、シリンダ錠５８の回転に連動して導通状態（オン状態／オフ状態）が切り替わる接点スイッチ５６１と、接点スイッチ５６１の導通状態に応じた信号（以下「設定信号」という）を外部に出力するためのコネクタ５６２とが実装される。設定信号は、スロットマシンＳの動作モードを通常モードおよび設定モードの何れかに指定する信号である。通常モードは遊技者が遊技するときのモードであり、設定モードは内部抽選の当選確率をスロットマシンＳの管理者が設定（変更）するモードである。設定信号が指定する動作モードは、シリンダ錠５８に鍵を差し込んで回転させるたびに通常モードおよび設定モードの一方から他方に循環的に切り替わる。
【００３３】
図７に示すように、ケース５７は、サブ基板５６やシリンダ錠５８を収容する箱状の主ケース部５７１と主ケース部５７１の側面から左方に突出してコネクタ５６２を被覆するコネクタケース５７２とが一体に形成された形状となっている。コネクタ５６２の端子はコネクタケース５７２の側面から外部に露出する。
【００３４】
ケース装着部６０は、基板ケース３０が装着される平板状の部分である。図７に示すように、このケース装着部６０には、各々が別個の受入部材４０に対応する４個の貫通孔６１が上下方向に配列して形成される。ひとつの貫通孔６１を横方向に挟む各位置にはケース装着部６０を厚さ方向に貫通する開口部６２が形成される。各開口部６２は、係止部材８０の基部８１（あるいはガード部８３や側面部８６）の円弧状の外形に対応するように半円形状となっている。
【００３５】
図８に示すように、ケース装着部６０の背面側には、各貫通孔６１を上下方向に挟む各位置に第１支持部６３が形成される。図９は、図８におけるIX−IX線からみた断面図である。図９に示すように、ひとつの第１支持部６３は、ケース装着部６０の背面から略垂直な方向に突出する支持用突起部６３０と、この支持用突起部６３０の先端側の側面から貫通孔６１とは反対側に突出する第１爪部６３１と、支持用突起部６３０の側面のうち第１爪部６３１よりも基端側の位置から貫通孔６１とは反対側に突出する第２爪部６３２とが一体に形成された形状となっている。図９に示すように、第２爪部６３２は縦断面がフック状（略Ｊ字状）となるように成形されている。すなわち、第２爪部６３２は、支持用突起部６３０の側面に対向する部分Ａを含む。
【００３６】
また、図８に示すように、ケース装着部６０の背面側には、開口部６２を上下方向に挟む各位置（すなわち開口部６２の周縁）に第２支持部６４が形成される。この第２支持部６４は、ケース装着部６０の背面から略垂直な方向に突出する突起部６４０とこの突起部６４０の側面から開口部６２側に突出する爪部６４１とが一体に形成された形状となっている。以上に説明したように、ケース装着部６０の背面側には、２個の第１支持部６３と４個の第２支持部６４とに上下を包囲された空間が画定される。この空間はひとつの係止部材８０が収納される場所（以下「係止部材収納部Ｒ」という）である。
【００３７】
＜Ａ−５：基板ケース３０（受入部材４０）の具体的な構成＞
次に、図１０から図１２を参照して基板ケース３０における各受入部材４０の近傍の構造を説明する。図１０は基板ケース３０を前面側からみた平面図であり、図１１は基板ケース３０のうち各受入部材４０の近傍を特に拡大して示す斜視図である。また、図１２は、基板ケース３０を背面側からみた斜視図である。
【００３８】
これらの図面に示すように、基板ケース３０を構成する上カバー３１１の右方の側端面には、この側端面から略垂直に突出して各受入部材４０を上下方向に挟むフレーム部３５１が形成される。各受入部材４０とその上下に位置する各フレーム部３５１とは連結部３５２を介して連結される。なお、本実施形態におけるフレーム部３５１と連結部３５２と受入部材４０とは上カバー３１１と一体に形成される。
【００３９】
図１０ないし図１２に示すように、ひとつの受入部材４０は、ひとつの筒状の部分（以下「第１筒状部」という）４１とこの第１筒状部４１を横方向に挟む２個の筒状の部分（以下「第２筒状部」という）４２とが、各々の軸方向を略平行な方向に向けた姿勢で相互に連結された形状となっている。各第２筒状部４２の中心軸の間隔はひとつの係止部材８０における各突出部８２の中心軸の間隔と略等しい寸法である。各第２筒状部４２の筒口（以下「挿入孔」という）４２０には係止部材８０の各突出部８２が挿入される。
【００４０】
図１２に示すように、各第２筒状部４２のうち背面側の部分にはその軸方向に沿って３箇所の溝部４２１が形成されている。各溝部４２１に挟まれた第２筒状部４２の内周面のうち最も背面側の位置には第２筒状部４２の内側に突出する爪部４２３が形成されている（図１７参照）。この爪部４２３は、係止部材８０の突出部８２に形成された凹部８２１に係合する部分である。
【００４１】
図１０および図１１に示すように、各第２筒状部４２の挿入孔４２０は接触防止部４２５によって部分的に閉塞されている。本実施形態における接触防止部４２５は、第２筒状部４２の円形の挿入孔４２０のうち第１筒状部４１寄りの部分を閉塞する略半円状の部分である。各第２筒状部４２の挿入孔４２０には係止部材８０の突出部８２が挿入されるから、接触防止部４２５は、突出部８２の中心軸の方向からみて当該突出部８２と重なり合う部分であるということもできる。
【００４２】
また、図３および図１０に示すように、基板ケース３０のうち右方の側端面には窪み部３７が形成される。この窪み部３７は、他の部分と比較して窪んだ部分であり、取付部材５０のコネクタケース５７２が隙間なく嵌まり込むように寸法および形状が選定されている。窪み部３７の底面には、メイン基板３３と電気的に接続されたコネクタ３７１の端子が露出する。コネクタ３７１の端子は、取付部材５０のコネクタケース５７２が窪み部３７に嵌まり込んだ状態においてサブユニット５５のコネクタ５６２の端子に対して電気的に接続される。接点スイッチ５６１によって生成された設定信号はコネクタ５６２およびコネクタ３７１を経由してメイン基板３３に供給される。
【００４３】
＜Ｂ：制御基板ユニットＵを組み立てる手順＞
次に、制御基板ユニットＵを組み立てる手順について説明する。
まず、取付部材５０のサブユニット固定部５３にサブユニット５５が固定される。次いで、図１３に示されるように、突出部８２を前面側に向けた姿勢で各係止部材８０が取付部材５０の背面側から各係止部材収納部Ｒに配置される。図１４は図１３のXIV−XIV線からみた断面図である。図１４に示されるように、各係止部材８０は、取付部材５０の第１支持部６３のうち第１爪部６３１が各対向部８４１のスリット８４３に係合した状態に留まる。係止部材８０がこの位置（以下「第１位置」という）にある段階においては、第１支持部６３の第２爪部６３２や第２支持部６４の爪部６４１は係止部材８０に係合しない。
【００４４】
図１５は、図１３のXV−XV線からみた断面図である。同図に示されるように、係止部材８０が第１位置にある段階では、この係止部材８０の何れの部位も、取付部材５０のケース装着部６０のうち基板ケース３０の受入部材４０に対向する表面ＰＬから前面側には突出しない。すなわち、係止部材８０の突出部８２やガード部８３の何れの部分も表面ＰＬに対して背面側に位置する。
【００４５】
次に、以上の手順で４個の係止部材８０が装着された取付部材５０を、筐体固定部５１の各貫通孔５１１に挿入されたネジによって筐体１０の背面板１１に固定する。さらに、図３に示すように、背面板１１のうち取付部材５０から左方に離間した位置に案内部材７０を固定する。そして、メイン基板３３を収容した基板ケース３０が案内部材７０のガイド体７１および７２の間隙に配置される。この段階において、基板ケース３０は未だ取付部材５０から左方に離間した位置にある。
【００４６】
次に、案内部材７０によるガイド（上下方向への移動の拘束）のもとで基板ケース３０を右方にスライドさせる。このスライドの途中で取付部材５０のコネクタケース５７２は基板ケース３０の窪み部３７に嵌まり込んでいく。なお、上述したように各係止部材８０は取付部材５０の表面ＰＬから突出しないから、基板ケース３０の各受入部材４０が取付部材５０のケース装着部６０の前面側に重なり合う位置に到達しても、各受入部材４０は係止部材８０と干渉することなく右方に進行していく。
【００４７】
基板ケース３０が目標位置に到達すると、基板ケース３０の側面に形成された各突起Ｐがガイド体７１および７２の係合孔Ｈと取付部材５０のガイド体５１３および５１５の係合孔Ｈとに嵌まり込むことによって基板ケース３０の移動は停止する。図１６は、この段階にある制御基板ユニットＵを前面側からみたときの平面図である。同図に示すように、取付部材５０のコネクタケース５７２が基板ケース３０の窪み部３７に完全に嵌まり込んでコネクタ５６２とコネクタ３７１とが電気的に接続される。これによって接点スイッチ５６１からの設定信号がメイン基板３３に入力される状態となるから、スロットマシンＳの管理者はシリンダ錠５８を適宜に操作することによって動作モードを通常モードおよび設定モードの何れかに適宜に切り替えることができる。また、図１６に示す状態においては、取付部材５０を筐体１０に固定するためのネジ（貫通孔５１１）が基板ケース３０の背面側に隠れる。したがって、基板ケース３０を筐体１０から取り外さない限り、取付部材５０を筐体１０から取り外すことはできない。一方、基板ケース３０が図１６の位置に到達すると、各受入部材４０における第１筒状部４１の筒口と取付部材５０の貫通孔６１と係止部材８０の貫通孔８１１および雌ネジ部８５とが同軸上に連通する。
【００４８】
次いで、受入部材４０の第１筒状部４１と取付部材５０の貫通孔６１と係止部材８０の貫通孔８１１とを貫通するように前面側からネジＮが挿入される。このネジＮは係止部材８０の雌ネジ部８５におけるネジ溝と噛み合った状態でドライバなどの工具によって回転させられる。このネジＮの回転に連動して係止部材８０は受入部材４０に近接する方向に（すなわち前方側に向かって）移動していく。図１７から図１９は、ネジＮの回転に連動して係止部材８０が移動していく様子を示す断面図である。図１７は図１６のXVII−XVII線からみた断面図であり、図１８は図１６のXVIII−XVIII線からみた断面図であり、図１９は図１６のXIX−XIX線からみた断面図である。図１７から図１９の各図における部分(a)は、係止部材８０の移動している最中の段階を示し、図１７から図１９の各図における部分(b)は、係止部材８０の移動が完了した段階を示す。また、図１８の部分(a')は、同図の部分(a)の段階と部分(b)の段階との中途の段階を示す。
【００４９】
図１７から図１９の各々における部分(a)に示すように、係止部材８０は、各突出部８２が受入部材４０の第２筒状部４２における挿入孔４２０に挿入されない第１位置から、ネジＮの回転に伴なって徐々に受入部材４０に近づいていく。さらにネジＮが回転すると、係止部材８０の突出部８２は第２筒状部４２の挿入孔４２０に挿入されて前方側に進行する。また、係止部材８０のガード部８３は第２筒状部４２の外周面と対向する。一方、図１８の部分(a')に示すように、取付部材５０における第１支持部６３の第１爪部６３１が係止部材８０のスリット８４３から外れるとともに、第２爪部６３２が対向部８４１に接触することによって第１支持部６３の支持用突起部６３０は内側に弾性変形する。
【００５０】
さらにネジＮが回転すると、図１７の部分(b)に示すように、第２筒状部４２の挿入孔４２０に挿入された突出部８２の先端が接触防止部４２５に当接した位置（以下「第２位置」という）で係止部材８０は停止する。この第２位置に到達すると、図１８の部分(b)に示すように、取付部材５０の第１支持部６３における第２爪部６３２が係止部材８０の対向部８４１の周縁部８４５に係合するとともに、図１９の部分(b)に示すように、取付部材５０の第２支持部６４における爪部６４１が係止部材８０の側面部８６の周縁に係合する。以上のように第１支持部６３と第２支持部６４とが係合するから、係止部材８０は背面側への移動が制限されて第２位置に保持される。さらに、係止部材８０が第２位置に到達すると、図１７の部分(b)に示すように、各第２筒状部４２の爪部４２３が突出部８２の外周面の凹部８２１に係合する。この係合によって係止部材８０は取付部材５０を挟んで受入部材４０に装着される。その後にネジＮが取り外されても取付部材５０や受入部材４０に対する係止部材８０の係合は維持される。
【００５１】
このように取付部材５０と受入部材４０とが係止部材８０に係合することによって受入部材４０が取付部材５０に装着され、この結果として基板ケース３０が筐体１０に固定される。そして、メイン基板３３の検査や点検に際して基板ケース３０を取り外す必要が生じた場合には、連結部３５２の破壊によって基板ケース３０が受入部材４０から分離される。また、その後に基板ケース３０を再び筐体１０に固定する場合には、前回とは別の受入部材４０と係止部材８０との対がネジＮによって係合される。一方、連結部３５２の破壊によって不正に基板ケース３０が取り外された場合には、この破壊の痕跡が残るから、不正が実施されたことを早期かつ容易に発見することが可能である。
【００５２】
また、連結部３５２の破壊以外の方法によって基板ケース３０を取り外す不正を有効に防止することができる。すなわち、基板ケース３０の受入部材４０が装着される係止部材８０は、取付部材５０を挟んで受入部材４０とは反対側に保持されるから、前面側からの操作によって係止部材８０を第１位置に移動させて基板ケース３０の固定を解除することは困難である。また、本実施形態によれば、たとえ特殊な器具を利用した場合であっても、破壊の痕跡を残さずに基板ケース３０を取り外すことは困難である。この点について詳述すると以下の通りである。
【００５３】
基板ケース３０を不正に取り外すために係止部材８０を第１位置に移動させる方法としては例えば図２０や図２１に示すような方法が想定される。図２０に例示された方法は、図１７の部分(b)の状態から途中まで引き出したネジＮに対して器具Ｔ1から背面側への外力を加える（例えばハンマによって打撃する）ことで係止部材８０を背面側に移動させようとする方法である。本実施形態においては、雌ネジ部８５に複数の溝部８５１が形成されているから、ネジＮに背面側への外力が作用すると雌ネジ部８５が径方向に弾性変形し、係止部材８０が第２位置に維持されたままネジＮのみが雌ネジ部８５から外れて背面側に移動する。したがって、図２０の方法によっては基板ケース３０を不正に取り外すことはできない。このように本実施形態においては、係止部材８０の移動に雌ネジ部８５とネジＮとの締結を利用しつつ、この締結を介してネジ部Ｎから雌ネジ部８５に伝達されようとする応力を溝部８５における分散によって遮断することで係止部材８０の移動が抑止される。
【００５４】
図２１に例示された方法は、器具Ｔ2の２本の棒状部の各々を第２筒状部４２の挿入孔４２０に挿入させたうえで背面側への外力を加え、これによって突出部８２の先端を押圧して係止部材８０を第１位置に移動させようとする方法である。本実施形態においては、挿入孔４２０が接触防止部４２５によって部分的に閉塞されているから、棒上部を挿入孔４２０に挿入させることは困難である。加えて、突出部８２のうち接触防止部４２５から露出する部分は係止部材８０の移動の方向（前後方向）に対して傾斜する傾斜面８２２となっているから、器具Ｔ2に背面側への外力を作用させたとしても係止部材８０を充分に押圧することは困難である。したがって、図２１の方法によっても基板ケース３０を不正に取り外すことは困難である。
【００５５】
また、係止部材８０は突出部８２の凹部８２１が受入部材４０の爪部４２３に係合しているから、第２筒状部４２の爪部４２３を外側に変形させることによって係止部材８０との係合を解除して基板ケース３０を取り外すという不正も想定される。しかしながら、本実施形態においては、係止部材８０のガード部８３が第２筒状部４２の外周面と対向するから、第２筒状部４２への接触がガード部８３によって阻害され、さらには、たとえ第２筒状部４２への接触が可能であったとしてもその爪部４２３の弾性変形はガード部８３によって制限される。したがって、第２筒状部４２への接触によって基板ケース３０を取り外す不正も有効に防止される。
【００５６】
さらに、図１８の部分(b)に拡大して示すように、係止部材８０が第２位置に移動すると、第１支持部６３の第２爪部６３２における部分Ａが係止部材８０の周縁部８４５を挟んで支持用突起部６３０に対向するから、外部からの操作によって第１支持部６３の第２爪部６３２と係止部材８０との係合を解除することは困難である。したがって、第１支持部６３を変形させることで係止部材８０を第１位置に移動させようとする不正も有効に防止される。
【００５７】
加えて、本実施形態においては、係止部材８０が第２位置に移動した状態において突出部８２が受入部材４０の挿入孔４２０に挿入される。したがって、例えば係止部材８０と受入部材４０とが単純に係合するだけの構成と比較して、基板ケース３０を充分な強度で取付部材５０に装着することができる。特に、突出部８２の軸方向と垂直な方向（例えば左右方向）の外力に対する強度を充分に確保することができる。
【００５８】
＜Ｃ：変形例＞
以上の各形態には様々な変形を加えることができる。具体的な変形の態様を例示すれば以下の通りである。なお、以下の各態様を適宜に組み合わせてもよい。
【００５９】
（１）変形例１  
以上の形態においては、受入部材４０の爪部４２３と係止部材８０の凹部８２１とが係合する構成を例示したが、受入部材４０と係止部材８０とを係合させるための構成は任意である。例えば、受入部材４０における第２筒状部４２の内周面に形成された凹部と係止部材８０の突出部８２に形成された爪部（凸部）とが係合する構成としてもよい。
【００６０】
（２）変形例２  
以上の形態においては、係止部材８０が爪部４２３によって受入部材４０に係合するとともに第１支持部６３および第２支持部６４によって取付部材５０に係合する構成を例示したが、係止部材８０と受入部材４０とが充分な強度で係合するのであれば、係止部材８０を取付部材５０に係合させる必要は必ずしもない。したがって、取付部材５０の第１支持部６３や第２支持部６４は省略され得る。また、係止部材８０が取付部材５０に係合する構成においては、係止部材８０を受入部材４０に係合させる必要は必ずしもない。例えば、案内部材７０や取付部材５０の係合孔Ｈに突起Ｐが係合することによって前方側への受入部材４０の移動は制限されるから、係止部材８０が受入部材４０に係合しない場合であっても、基板ケース３０の不正な取り外しを防止することは可能である。
【００６１】
（３）変形例３  
以上の形態においては、第２筒状部４２の挿入孔４２０を部分的に閉塞するように接触防止部４２５が形成された構成を例示したが、この挿入孔４２０の全部を閉塞するように接触防止部４２５が形成されてもよい。
【００６２】
（４）変形例４  
係止部材８０を移動させるためのネジＮとしてワンウェイネジを採用してもよい。ワンウェイネジとは、これを締付け方向に回転させる場合に限ってドライバなどの治具と係合し、逆方向に回転させようとしても治具と係合しないように構成されたネジである。この構成によれば、ネジＮを係止部材８０から取り外すことが困難となるから、基板ケース３０を取り外す不正をさらに有効に防止することが可能となる。
【００６３】
なお、係止部材８０を第１位置から第２位置に移動させるための手段はネジに限定されない。例えば、受入部材４０の第１筒状部４１と取付部材５０の貫通孔５１１とに挿入された状態で係止部材８０に係合するような治具によって係止部材８０を前方側に移動させてもよい（係止部材８０が第２位置に到達すると治具は取り外される）。この構成において係止部材８０の雌ネジ部８５は省略され得る。
【００６４】
（５）変形例５  
以上の形態においては係止部材８０にガード部８３が形成された構成を例示したが、第２筒状部４２が外部からの接触によっては弾性変形し難い場合や第２筒状部４２への接触が別個の仕組みによって防止される場合、ガード部８３は適宜に省略され得る。
【００６５】
（６）変形例６  
以上の形態においては第２筒状部４２の挿入孔４２０に係止部材８０の突出部８２が挿入される構成を例示したが、突出部８２が挿入される部分が円筒状である必要は必ずしもない。すなわち、突出部８４２が挿入される孔（穴）が受入部材４０に形成された構成であれば足り、受入部材４０の具体的な形態や挿入孔４２０の形状は任意に変更される。
【図面の簡単な説明】
【００６６】
【図１】本発明の実施形態に係るスロットマシンの外観を示す斜視図である。
【図２】スロットマシンの前面扉が開かれた状態を示す斜視図である。
【図３】制御基板ユニットの分解斜視図である。
【図４】係止部材の外観を示す斜視図である。
【図５】係止部材の外観を突起部に注目して示す斜視図である。
【図６】係止部材の外観を雌ネジ部に注目して示す斜視図である。
【図７】取付部材を前面側からみた平面図である。
【図８】取付部材を背面側からみた平面図である。
【図９】図８のIX−IX線からみた断面図である。
【図１０】基板ケースの受入部材の近傍を前面側からみた平面図である。
【図１１】受入部材の近傍を拡大して示す斜視図である。
【図１２】基板ケースの受入部材の近傍を背面側からみた斜視図である。
【図１３】取付部材に係止部材が装着された状態を示す斜視図である。
【図１４】図１３のXIV−XIV線からみた断面図である。
【図１５】図１３のXV−XV線からみた断面図である。
【図１６】基板ケースが目標位置に到達した状態を示す平面図である。
【図１７】図１６のXVII−XVII線からみた断面に着目して係止部材の移動を示す断面図である。
【図１８】図１６のXVIII−XVIII線からみた断面に着目して係止部材の移動を示す断面図である。
【図１９】図１６のXIX−XIX線からみた断面に着目して係止部材の移動を示す断面図である。
【図２０】係止部材を移動させる不正が防止されることを説明するための断面図である。
【図２１】係止部材を移動させる不正が防止されることを説明するための断面図である。
【符号の説明】
【００６７】
Ｓ……スロットマシン、Ｕ……制御基板ユニット、１０……筐体、１１……背面板、２０……前面扉、３０……基板ケース、３３……メイン基板（制御基板）、３５１……フレーム部、３５２……連結部、４０……受入部材、４１……第１筒状部、４２……第２筒状部、４２０……挿入孔、４２３……爪部、４２５……接触防止部、５０……取付部材、６１……貫通孔、６２……開口部、６３……第１支持部、６３０……支持用突起部、６３１……第１爪部、６３２……第２爪部、６４……第２支持部、７０……案内部材、８０……係止部材、８１……基部、８２……突起部、８２１……凹部、８２２……傾斜面、８３……ガード部、８４……係合部、８４１……対向部、８４３……スリット、８４５……周縁部、８５……雌ネジ部、８５１……溝部、８６……側面部、Ｎ……ネジ。
【図１】
2007105347.tif 000003
【図２】
2007105347.tif 000004
【図３】
2007105347.tif 000005
【図４】
2007105347.tif 000006
【図５】
2007105347.tif 000007
【図６】
2007105347.tif 000008
【図７】
2007105347.tif 000009
【図８】
2007105347.tif 000010
【図９】
2007105347.tif 000011
【図１０】
2007105347.tif 000012
【図１１】
2007105347.tif 000013
【図１２】
2007105347.tif 000014
【図１３】
2007105347.tif 000015
【図１４】
2007105347.tif 000016
【図１５】
2007105347.tif 000017
【図１６】
2007105347.tif 000018
【図１７】
2007105347.tif 000019
【図１８】
2007105347.tif 000020
【図１９】
2007105347.tif 000021
【図２０】
2007105347.tif 000022
【図２１】
2007105347.tif 000023